(57)【要約】【課題】太陽電池の発電量を植物の生育状態で表示することにより効率のよい充電を可能にする充電装置を提供する。【解決手段】照射される光の量に応じて電気を発電する太陽電池と、充電対象の２次電池の充電を行うために太陽電池で発電した電力を一時的に蓄える２次電池と、太陽電池の発電量を検出して出力する発電量検出部と、所定の時刻において発電量検出部から出力される発電量を、照射された光量データに変換して時刻毎に記憶する光量記憶部と、植物の生育状況毎の画像が予め記憶された植物情報記憶部と、光量記憶部に記憶されている光量データと予め定義されている標準光量データとの差に応じて植物の生育状況を求め、この生育状況に対応する植物画像を植物情報記憶部に記憶されている画像から選択して読み出す制御部と、制御部よって読み出された画像を表示する表示部とを備える。【選択図】    図１
2004208451.tif 000002
【特許請求の範囲】
【請求項１】
照射される光の量に応じて電気を発電する太陽電池と、
充電対象の２次電池の充電を行うために前記太陽電池で発電した電力を一時的に蓄える２次電池と、
前記太陽電池の発電量を検出して出力する発電量検出部と、
所定の時刻において前記発電量検出部から出力される発電量を、照射された光量データに変換して時刻毎に記憶する光量記憶部と、
植物の生育状況毎の画像が予め記憶された植物情報記憶部と、
前記光量記憶部に記憶されている光量データと予め定義されている標準光量データとの差に応じて植物の生育状況を求め、この生育状況に対応する植物画像を前記植物情報記憶部に記憶されている画像から選択して読み出す制御部と、
前記前記制御部よって読み出された画像を表示する表示部と
を備えたことを特徴とする充電装置。
【請求項２】
照射される光の量に応じて電気を発電する太陽電池と、
充電対象の２次電池の充電を行うために前記太陽電池で発電した電力を一時的に蓄える２次電池と、
前記太陽電池の発電量を検出して出力する発電量検出部と、
所定の時刻において前記発電量検出部から出力される発電量を、照射された光量データに変換して時刻毎に記憶する光量記憶部と、
外部に接続される携帯端末からの要求に応じて前記光量記憶部に記憶されている光量データを読み出すための接続処理を行うインタフェースと
を備えたことを特徴とする充電装置。
【請求項３】
植物の生育状況毎の画像が予め記憶された植物情報記憶部と、
自己に備えられた２次電池の充電を行うための充電装置に備えられた光量記憶部に記憶されている光量データを読み出して、この読み出した光量データと予め定義されている標準光量データとの差に応じて植物の生育状況を求め、この生育状況に対応する植物画像を前記植物情報記憶部に記憶されている画像から選択して読み出す制御部と、
前記前記制御部よって読み出された画像を表示する表示部と
を備えたことを特徴とする携帯端末。
【請求項４】
照射される光の量に応じて電気を発電する太陽電池と、充電対象の２次電池の充電を行うために前記太陽電池で発電した電力を一時的に蓄える２次電池とを備えた充電装置で動作する発電量表示プログラムであって、
前記発電量表示プログラムは、
所定の時刻において前記太陽電池の発電量を検出し、得られた発電量を、照射された光量データに変換して時刻毎に記憶する光量記憶処理と、
前記光量記憶処理よって記憶された光量データと予め定義されている標準光量データとの差に応じて植物の生育状況を求め、この生育状況に対応する植物画像を予め記憶されている画像の中から選択して読み出す画像選択処理と、
前記読み出された画像を表示する表示処理と
をコンピュータに行わせることを特徴とする発電量表示プログラム。
【請求項５】
照射される光の量に応じて電気を発電する太陽電池と、充電対象の２次電池の充電を行うために前記太陽電池で発電した電力を一時的に蓄える２次電池とを備えた充電装置と、前記充電対象の２次電池を備えた携帯端末とが接続された状態において、前記携帯端末で動作する発電量表示プログラムであって、
前記発電量表示プログラムは、
所定の時刻において検出された前記太陽電池の発電量から変換された光量データを前記充電装置から読み出す処理と、
前記充電装置から読み出された光量データと予め定義されている標準光量データとの差に応じて植物の生育状況を求め、この生育状況に対応する植物画像を予め記憶されている画像の中から選択して読み出す画像選択処理と、
前記読み出された画像を表示する表示処理と
をコンピュータに行わせることを特徴とする発電量表示プログラム。
【発明の詳細な説明】
【０００１】
【発明の属する技術分野】
本発明は、太陽電池で発電した電力を使用して２次電池の充電を行う場合において、太陽電池が発電した発電量の表示を行うことができる充電装置、携帯端末及び発電量表示プログラムに関する。
【０００２】
【従来の技術】
従来から太陽電池を携帯電話機に接続し、太陽光によって携帯電話機に備えられた２次電池を充電する太陽電池式携帯電話充電器が知られている（例えば、特許文献１参照）。これは、ＡＣ電源がないアウトドア等においても充電が可能になるという特徴を有している。
【０００３】
【特許文献１】
特開２００１−３０８３５６号公報
【０００４】
【発明が解決しようとする課題】
ところで、太陽電池は、晴れて日差しが強い場合と曇っている場合とでは得られる電力が異なるのが通常であり、季節や時刻によっても日差しの量は異なる。また、日射に対する太陽電池の向きや角度によっても得られる電力が異なってしまうのが通常である。したがって、特許文献１に記載されたような充電器を使用するユーザは、太陽電池の発電効率を客観的に判定する手段がなく、必ずしも効率良く充電が行われるとは限らないという問題がある。また、仮に発電した電圧等をリアルタイムで表示するようにしてもその値がどのような状態を示しているかを判断する手段がないため、ユーザは効率よく充電をしたいと思ってもどのようにすれば効率よく充電を行うことができるかを知ることができないという問題もある。
【０００５】
本発明は、このような事情に鑑みてなされたもので、太陽電池の発電量を植物の生育状態で表示することにより効率のよい充電を可能にする充電装置、携帯端末及び発電量表示プログラムを提供することを目的とする。
【０００６】
【課題を解決するための手段】
この発明による充電装置は、照射される光の量に応じて電気を発電する太陽電池と、充電対象の２次電池の充電を行うために前記太陽電池で発電した電力を一時的に蓄える２次電池と、前記太陽電池の発電量を検出して出力する発電量検出部と、所定の時刻において前記発電量検出部から出力される発電量を、照射された光量データに変換して時刻毎に記憶する光量記憶部と、植物の生育状況毎の画像が予め記憶された植物情報記憶部と、前記光量記憶部に記憶されている光量データと予め定義されている標準光量データとの差に応じて植物の生育状況を求め、この生育状況に対応する植物画像を前記植物情報記憶部に記憶されている画像から選択して読み出す制御部と、前記前記制御部よって読み出された画像を表示する表示部とを備えたことを特徴とする。
この構成によれば、太陽電池に対して太陽光を照射した度合いによって、植物の生育に影響が出るようにして、太陽電池に日差しを当てる行為を、植物を育てる行為と見なした発電量表示としたため、植物がよく育つように太陽電池に対して太陽光を照射させるように促すことが可能になる。これにより、太陽電池に太陽光を積極的に当てるようになるため、充電装置に備えた２次電池に対する一時的な充電を効率良く行うことが可能となり、充電対象の２次電池の充電を短時間で行うことが可能となる。また、太陽電池に対する太陽光の照射角度によっても発電量が異なることを知ることができるため、太陽電池の向きや角度を工夫することで効率の良い充電を行うように促すことが可能となる。
【０００７】
この発明による充電装置は、照射される光の量に応じて電気を発電する太陽電池と、充電対象の２次電池の充電を行うために前記太陽電池で発電した電力を一時的に蓄える２次電池と、前記太陽電池の発電量を検出して出力する発電量検出部と、所定の時刻において前記発電量検出部から出力される発電量を、照射された光量データに変換して時刻毎に記憶する光量記憶部と、外部に接続される携帯端末からの要求に応じて前記光量記憶部に記憶されている光量データを読み出すための接続処理を行うインタフェースとを備えたことを特徴とする。
この構成によれば、大きい記憶容量を必要とする植物情報記憶部を携帯端末に持たせ、制御部、入力部、表示部を本来携帯端末が有しているもので兼用するようにしたため、充電装置の構成を簡単にすることができる。
【０００８】
この発明による携帯端末は、植物の生育状況毎の画像が予め記憶された植物情報記憶部と、自己に備えられた２次電池の充電を行うための充電装置に備えられた光量記憶部に記憶されている光量データを読み出して、この読み出した光量データと予め定義されている標準光量データとの差に応じて植物の生育状況を求め、この生育状況に対応する植物画像を前記植物情報記憶部に記憶されている画像から選択して読み出す制御部と、前記前記制御部よって読み出された画像を表示する表示部とを備えたことを特徴とする。
この構成によれば、大きい記憶容量を必要とする植物情報記憶部を携帯端末に持たせ、制御部、入力部、表示部を本来携帯端末が有しているもので兼用するようにしたため、充電装置の構成を簡単にすることができる。
【０００９】
この発明による発電量表示プログラムは、照射される光の量に応じて電気を発電する太陽電池と、充電対象の２次電池の充電を行うために前記太陽電池で発電した電力を一時的に蓄える２次電池とを備えた充電装置で動作するプログラムであって、所定の時刻において前記太陽電池の発電量を検出し、得られた発電量を、照射された光量データに変換して時刻毎に記憶する光量記憶処理と、前記光量記憶処理よって記憶された光量データと予め定義されている標準光量データとの差に応じて植物の生育状況を求め、この生育状況に対応する植物画像を予め記憶されている画像の中から選択して読み出す画像選択処理と、前記読み出された画像を表示する表示処理とをコンピュータに行わせることを特徴とする。
【００１０】
この発明による発電量表示プログラムは、照射される光の量に応じて電気を発電する太陽電池と、充電対象の２次電池の充電を行うために前記太陽電池で発電した電力を一時的に蓄える２次電池とを備えた充電装置と、前記充電対象の２次電池を備えた携帯端末とが接続された状態において、前記携帯端末で動作するプログラムであって、所定の時刻において検出された前記太陽電池の発電量から変換された光量データを前記充電装置から読み出す処理と、前記充電装置から読み出された光量データと予め定義されている標準光量データとの差に応じて植物の生育状況を求め、この生育状況に対応する植物画像を予め記憶されている画像の中から選択して読み出す画像選択処理と、前記読み出された画像を表示する表示処理とをコンピュータに行わせることを特徴とする。
【００１１】
【発明の実施の形態】
以下、本発明の一実施形態による充電装置及び携帯端末を図面を参照して説明する。図１は同実施形態の構成を示すブロック図である。この図において、符号１は、２次電池の充電を行う充電装置である。符号２は、光エネルギーを電気エネルギーに変換することにより発電を行う太陽電池である。符号３は、太陽電池２で発電された電力を一時的に蓄える２次電池である。符号４は、充電対象の２次電池が備えられた機器と接続するためのコネクタである。符号５は、太陽電池２の発生電圧を検出し、この検出結果を量子化して出力する発電量検出部である。符号６は、発電量の表示を植物の育成状態に置き換えて表示するための処理を行う制御部である。符号７は、キーパネル等で構成された入力部である。符号８は、液晶ディスプレイ等で構成される表示部であり、少なくとも画像表示が可能である。符号９は、発電量検出部５において検出された発電量から変換して得られた光量を時間変化に応じて記憶する光量記憶部である。符号１０は、植物の生長変化毎の画像が予め複数記憶された植物情報記憶部である。符号１１は、日付と時刻を得ることができるタイマである。符号１２は、充電装置１によって充電を行う対象である携帯端末である。符号１３は、充電装置１に備えられたコネクタ４と接続し電力の供給を受けるためのコネクタである。符号１４は、携帯端末１２を駆動するために必要な電力を供給する２次電池であり、充電装置１によって充電が行われる。
【００１２】
次に、図１に示す充電装置１の動作を説明する。まず、ユーザは、入力部７の操作によって、初期化を行う。この初期化操作を行うと、制御部６は、表示部８に発電量表示を植物の生長で表す場合の植物を選択する指示を出す。このとき、表示部８には、植物が複数表示される。そして、ユーザは、その中から任意に１つ選択する。これは、例えばチューリップの球根を庭に植えたことを意味する。そして、充電装置１を窓辺等の太陽光が当たる場所に設置する。これは、選択した植物に太陽光を当てることを意味する。これにより、太陽電池２は、太陽光の強さに応じて発電を行い、得られた電力を２次電池３に一時的に蓄える。一方、制御部６は、タイマ１１の出力を参照して、予め決められている時刻（例えば、８時、１２時、４時）に発電量検出部５の出力（太陽電池２の発生電圧を量子化した値）を読み込む。そして、制御部６は、この量子化された値を受光量として、検出した日付と時刻に関連付けて光量記憶部９へ記憶する。この光量記憶部は、所定の容量を有しており、所定の期間内（例えば、１週間）の光量が記憶される。なお、記憶する必要がある光量のデータが光量記憶部９の容量を超えた場合、最も古いデータが削除され、最も新しいデータが光量記憶部９に記憶される。すなわち、光量記憶部の容量分の最新の光量データが記憶されていることになる。
【００１３】
次に、ユーザは、任意のタイミングで入力部７より所定の操作を行い、選択した植物の生育状況表示の指示を行う。これを受けて制御部６は、植物情報記憶部１０から現状の植物の状態値を読み出す。この時点では、球根を植えた時点なので状態値は「０」である。そして、制御部６は、光量記憶部９から光量データを読み込み、この読み込んだ光量データに基づいて、植物の生育ポイントを計算する。制御部６には、図３に示すように標準光量データが記憶されている。この標準光量データは、太陽光によって各時刻毎に標準的に得ることが可能な光量データ（太陽電池２の発生電圧を量子化した値）が定義されたものである。生育ポイントは、この標準光量データと実際に得られた光量データとに基づいて、以下のように求める。実測光量データと標準光量データとの比（実測／標準）が０．７から１．０の場合は、生育ポイントを「＋１」とする。実測光量データと標準光量データとの比（実測／標準）が０．４から０．７未満の場合は、生育ポイントを「０」とする。実測光量データと標準光量データとの比（実測／標準）が０から０．４未満の場合は、生育ポイントを「−１」とする。続いて制御部６は、光量記憶部９の内容をクリアする。
【００１４】
次に、制御部６は、各実測光量データ毎に求めた生育ポイントを合計する。そして、この合計値を先に読み出した状態値に加算し、得られた結果が新たな状態値となる。この状態値は、数値が大きいほど、植物の生育が進んでいることを示す値である。この新たな状態値は、植物情報記憶部１０へ記憶する。続いて制御部６は、得られた状態値に対応する画像を植物情報記憶部１０より読み出し、表示部８へ表示する。ここで表示される画像は、発電量に応じて生育した植物の画像であり、発電量が多ければよく発育した植物の画像が表示され、発電量が少なければ、発育が悪い、または枯れた植物の画像が表示される。
【００１５】
このように、太陽電池２へ太陽光を照射した度合いによって、植物の生育に影響が出るようにして、太陽電池２に日差しを当てる行為を、植物を育てる行為と見なした発電量表示としたため、植物のよく育つように太陽光を照射させるように促すことが可能となる。これにより、太陽電池２に太陽光を積極的に当てるようになるため、充電装置１に備えた２次電池３に対する一時的な充電を効率良く行うことが可能となり、充電対象の２次電池の充電を短時間で行うことが可能となる。また、太陽電池２に対する太陽光の照射角度によっても発電量が異なることを知ることができるため、太陽電池２の向きや角度を工夫することで効率の良い充電を行うように促すことが可能となる。
【００１６】
なお、入力部７より、植物に「水をやる」行為、「肥料をやる」行為、「害虫駆除」行為等を示すコマンドを入力すようにして、このコマンドの回数やタイミングに応じて、生育ポイントを増減するようにしてもよい。このようにすることにより、より実際の花の育成に即した植物育成ゲームを構築することが可能となり、よりゲーム性に優れた発電量表示環境を提供することができる。
【００１７】
また、１つの植物の生育が終了し、花が咲いた時点で、その植物の画像データ、育てた植物の特徴を有した花粉、種子のデータを保存可能になるように構成してもよい。さらに、これらのデータを、他人が有している充電装置内のデータとやりとりすることで植物の交配をできるようにしてもよい。このように、発電量表示のゲーム性を高めることで、太陽電池２を太陽に当てる頻度が向上するため、充電効率をさらに向上させることが可能となる。
【００１８】
次に、図２を参照して、他の実施形態を説明する。図２は、他の実施形態における充電装置と携帯端末の構成を示すブロック図である。この図において、図１に示す実施形態と同一の部分には同一の符号を付し、その説明を省略する。この図に示す装置が図１に示す実施形態と異なる点は、充電装置１５を太陽電池２、２次電池３、タイマ１１、発電量検出部５、光量記憶部９、インタフェース１６で構成し、携帯端末１２に制御部１７、入力部１８、表示部１９、タイマ２０、植物情報記憶部２１を設けた点である。２次電池１４は、携帯端末１２内に電力を供給するものである。また、図２においては、本願発明に関係する構成要件のみを図示してあり、携帯端末１２が本来有している構成要件は省略してある。なお、制御部１７、入力部１８、表示部１９、タイマ２０は、携帯端末１２が本来有しているものを兼用する。
【００１９】
次に、図２に示す充電装置１５、携帯端末１２の動作を説明する。まず、ユーザは、充電装置１５と携帯端末１２をコネクタ４とコネクタ１３によって接続する。そして、入力部１８の操作によって、初期化を行う。この初期化操作を行うと、制御部１７は、表示部１９に発電量表示を植物の生長で表す場合の植物を選択する指示を出す。このとき、表示部１９には、植物が複数表示される。そして、ユーザは、その中から任意に１つ選択する。これは、例えばチューリップの球根を庭に植えたことを意味する。そして、充電装置１５から携帯端末１２を取り外し、充電装置１５を窓辺等の太陽光が当たる場所に設置する。これは、選択した植物に太陽光を当てることを意味する。これにより、太陽電池２は、太陽光の強さに応じて発電を行い、得られた電力を２次電池３に一時的に蓄える。一方、発電量検出部５は、タイマ１１の出力を参照して、予め決められている時刻（例えば、８時、１２時、４時）において太陽電池２の発生電圧を量子化した値を光量記憶部９へ記憶する。
【００２０】
次に、ユーザは、任意のタイミングで充電装置１５と携帯端末１２を接続して、入力部７より所定の操作を行うことにより携帯端末１２に備えられている２次電池１４の充電を行う。このタイミングで制御部１７は、植物情報記憶部２１から現状の植物の状態値を読み出す。この時点では、球根を植えた時点なので状態値は「０」である。そして、制御部１７は、光量記憶部９から光量データを読み込み、この読み込んだ光量データに基づいて、植物の生育ポイントを計算する。植物の生育ポイント計算は、前述した通りである。
【００２１】
次に、制御部１７は、各実測光量データ毎に求めた生育ポイントを合計する。そして、この合計値を先に読み出した状態値に加算し、得られた結果が新たな状態値となる。この状態値は、数値が大きいほど、植物の生育が進んでいることを示す値である。この新たな状態値は、植物情報記憶部２１へ記憶する。続いて制御部１７は、得られた状態値に対応する画像を植物情報記憶部２１より読み出し、表示部１９へ表示する。
【００２２】
このように、大きい記憶容量を必要とする植物情報記憶部２１を携帯端末１２に持たせ、制御部１７、入力部１８、表示部１９を本来携帯端末１２が有しているもので兼用するようにしたため、充電装置１５の構成を簡単にすることができる。
【００２３】
なお、図１、２における処理部の機能を実現するためのプログラムをコンピュータ読み取り可能な記録媒体に記録して、この記録媒体に記録されたプログラムをコンピュータシステムに読み込ませ、実行することにより発電量表示処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２５】
【発明の効果】
以上説明したように、この発明によれば、太陽電池に対して太陽光を照射した度合いによって、植物の生育に影響が出るようにして、太陽電池に日差しを当てる行為を、植物を育てる行為と見なした発電量表示としたため、植物がよく育つように太陽電池に対して太陽光を照射させるように促すことが可能になるという効果が得られる。これにより、太陽電池に太陽光を積極的に当てるようになるため、充電装置に備えた２次電池に対する一時的な充電を効率良く行うことが可能となり、充電対象の２次電池の充電を短時間で行うことが可能となる。また、太陽電池に対する太陽光の照射角度によっても発電量が異なることを知ることができるため、太陽電池の向きや角度を工夫することで効率の良い充電を行うように促すことが可能となる。
【図面の簡単な説明】
【図１】本発明の一実施形態の構成を示すブロック図である。
【図２】本発明の他の実施形態の構成を示すブロック図である。
【図３】標準光量データを示す説明図である。
【符号の説明】
１・・・充電装置
２・・・太陽電池
３・・・２次電池
５・・・発電量検出部
６、１７・・・制御部、
７、１８・・・入力部
８、１９・・・表示部
９・・・光量記憶部
１０、２１・・・植物情報記憶部
１１・・・タイマ
１２・・・携帯端末
【図１】
2004208451.tif 000003
【図２】
2004208451.tif 000004
【図３】
2004208451.tif 000005